(57)【要約】【課題】構造が簡単であり、扉をロックする機構も含めて線材のみでも構成可能なロック機構を備えたパネル体及び、該パネル体を用いたペットケージを提供する。【解決手段】本発明に係るパネル体１は、扉体９が回動軸７側を支点として、傾動可能に枠部３に取り付けられ、扉体９を閉止した状態で扉体９の開放を防止するロック機構１１を有し、ロック機構１１は、枠部３における開口５近傍に設けられて、基端側が枠部３に固定され前方に延出する延出部１９ａと延出部１９ａの前端から上方に立ち上がる立上り部１９ｂとを有するフック部１９と、フック部１９の上方に設けられたロックバー２７と、扉体９側に設けられてフック部１９の立上り部１９ｂの内側に挿入されて係止される係止バー２１と、扉体９側に扉体閉止方向に突出して設けられ、扉体９を閉止した状態でロックバー２７に係止して扉体９の傾動を規制するロック辺部２９とを備えてなる。【選択図】  図１
2015223084.tif 000002
【特許請求の範囲】
【請求項１】
金属製の線材によって形成されて、開口を有する枠部と、一辺側を回動軸として前記枠部の開口に開閉可能に取り付けられた扉体とを備えたパネル体であって、
前記扉体は回動軸側を支点として、傾動可能に前記枠部に取り付けられ、かつ、前記扉体を閉止した状態で前記扉体の開放を防止するロック機構を有し、
該ロック機構は、
前記枠部における開口近傍に設けられて、基端側が前記枠部に固定され前方に延出する延出部と該延出部の前端から上方に立ち上がる立上り部とを有するフック部と、該フック部の上方に設けられた横線材からなるロックバーと、
前記扉体側に設けられて扉体を閉じた状態で前記フック部の前記立上り部の内側に挿入されて係止される係止バーと、前記扉体側に扉体閉止方向に突出して設けられ、扉体を閉止した状態で前記ロックバーに係止して扉体の傾動を規制するロック辺部とを備えてなることを特徴とするパネル体。
【請求項２】
前記扉体は回動軸側に延出する延出辺部を上下方向に複数有し、これら延出辺部の先端に前記回動軸が挿入可能な穴が設けられ、該穴は下方の延出辺部に設けられているものほど延出辺部軸方向の穴径が大きくなっていることを特徴とする請求項１記載のパネル体。
【請求項３】
前記フック部は、前記立上り部から前方に向かって斜め下方に傾斜する傾斜部を有し、前記係止バーは、前記扉体を閉じる際に前記傾斜部に当接して案内されることによって、前記扉体が傾動するように構成されていることを特徴とする請求項１又は２に記載のパネル体。
【請求項４】
上部側が前記枠部側に近づく方向に屈曲する屈曲辺部を有し、該屈曲辺部の上部に前記ロック辺部が、該屈曲辺部の下部に前記係止バーがそれぞれ連続するように設けられ、該屈曲辺部の上端部は前記扉体の閉止直前に前記ロックバーに当接し、前記屈曲辺部の上端部がロックバーに押圧されることで、前記屈曲辺部が弾性変形して前記係止バーが前記フック部の前記立上り部の内側に挿入可能になることを特徴とする請求項１乃至３のいずれか一項に記載のパネル体。
【請求項５】
前記ロック辺部の近傍に、該ロック辺部の前記ロックバーへの係止を解除するための操作部を備えていることを特徴とする請求項１乃至４のいずれか一項に記載のパネル体。
【請求項６】
前記フック部の下方に該フック部と同形状の第２フック部を有し、前記係止バーの下方に設けられて前記第２フック部に係止する第２係止バーを有することを特徴とする請求項１乃至５のいずれか一項に記載のパネル体。
【請求項７】
請求項１乃至６のいずれか一項に記載のパネル体を周壁の少なくとも一面に有することを特徴とするペットケージ。
【発明の詳細な説明】
【技術分野】
【０００１】
本発明は、金属製の線材によって形成されて、開口を有する枠部と、一辺側を回動軸として前記枠部の開口に開閉可能に取り付けられた扉体とを備えたパネル体及び、該パネル体を用いたペットケージに関する。
【背景技術】
【０００２】
小型犬、猫等のペットを室内で飼育するためのペットサークルやケージとして、金属製の線材によって形成した金網パネルを用いたものが広く知られている。
このようなペットサークル等においては、金網パネルの一つの面にペットの出入り口となる開口部を設け、この開口部に開閉可能な扉が設けられるのが一般的である。そして、このような扉には扉を閉じた状態をロックするためのロック装置が設けられている。
【０００３】
このようなペットサークルの例として、例えば特許文献１に開示されたペット用ケージがある。特許文献１に開示されたものは、「ペット出入り口を有する側面パネル本体と、上記ペット出入り口を開閉可能に上記側面パネル本体に軸支された扉とを有して構成した側面パネルを備えたペット用ケージであって、上記扉をロックするスライドロック部材とスライド規制部を、上記扉に備え、上記スライド規制部は、扉面を含む面上おいて上記扉の周端部よりも外側へ突出、或いは、内側へ退避するよう上記スライドロック部材をスライド可能に構成し、上記スライドロック部材は、上記側面パネル本体側に扉全閉状態において係止可能な扉全閉状態係止部を備えるとともに、扉全開状態において係止可能な扉全開状態係止部を備えたペット用ケージ。」である。
【先行技術文献】
【特許文献】
【０００４】
【特許文献１】特開２００８−１７８３６６号公報
【発明の概要】
【発明が解決しようとする課題】
【０００５】
特許文献１に開示されたペット用ケージには、扉をロックするためのものとして有底枠状のスライドロック部材を線材からなるスライド規制部にスライド可能でかつ常時ロック方向に付勢されるように取り付けた構造のものが開示されている（特許文献１の段落００３９〜段落００４６参照）。
しかしながら、構造が複雑であり、例えば線材のみで構成することはできず、コストが高くなるという問題がある。
【０００６】
本発明はかかる課題を解決するためになされたものであり、構造が簡単であり、扉をロックする機構も含めて線材のみでも構成可能なロック機構を備えたパネル体及び、該パネル体を用いたペットケージを提供することを目的としている。
【課題を解決するための手段】
【０００７】
（１）本発明に係るパネル体は、金属製の線材によって形成されて、開口を有する枠部と、一辺側を回動軸として前記枠部の開口に開閉可能に取り付けられた扉体とを備えたパネル体であって、
前記扉体は回動軸側を支点として、傾動可能に前記枠部に取り付けられ、かつ、前記扉体を閉止した状態で前記扉体の開放を防止するロック機構を有し、
該ロック機構は、
前記枠部における開口近傍に設けられて、基端側が前記枠部に固定され前方に延出する延出部と該延出部の前端から上方に立ち上がる立上り部とを有するフック部と、該フック部の上方に設けられた横線材からなるロックバーと、
前記扉体側に設けられて扉体を閉じた状態で前記フック部の前記立上り部の内側に挿入されて係止される係止バーと、前記扉体側に扉体閉止方向に突出して設けられ、扉体を閉止した状態で前記ロックバーに係止して扉体の傾動を規制するロック辺部とを備えてなることを特徴とするものである。
【０００８】
（２）また、上記（１）に記載のものにおいて、前記扉体は回動軸側に延出する延出辺部を上下方向に複数有し、これら延出辺部の先端に前記回動軸が挿入可能な穴が設けられ、該穴は下方の延出辺部に設けられているものほど延出辺部軸方向の穴径が大きくなっていることを特徴とするものである。
【０００９】
（３）また、上記（１）又は（２）に記載のものにおいて、前記フック部は、前記立上り部から前方に向かって斜め下方に傾斜する傾斜部を有し、前記係止バーは、前記扉体を閉じる際に前記傾斜部に当接して案内されることによって、前記扉体が傾動するように構成されていることを特徴とするものである。
【００１０】
（４）また、上記（１）乃至（３）のいずれかに記載のものにおいて、上部側が前記枠部側に近づく方向に屈曲する屈曲辺部を有し、該屈曲辺部の上部に前記ロック辺部が、該屈曲辺部の下部に前記係止バーがそれぞれ連続するように設けられ、該屈曲辺部の上端部は前記扉体の閉止直前に前記ロックバーに当接し、前記屈曲辺部の上端部がロックバーに押圧されることで、前記屈曲辺部が弾性変形して前記係止バーが前記フック部の前記立上り部の内側に挿入可能になることを特徴とするものである。
【００１１】
（５）また、上記（１）乃至（４）のいずれかに記載のものにおいて、前記ロック辺部の近傍に、該ロック辺部のロックバーへの係止を解除するための操作部を備えていることを特徴とするものである。
【００１２】
（６）また、上記（１）乃至（５）のいずれかに記載のものにおいて、前記フック部の下方に該フック部と同形状の第２フック部を有し、前記係止バーの下方に設けられて前記第２フック部に係止する第２係止バーを有することを特徴とするものである。
【００１３】
（７）本発明に係るペットケージは、上記（１）乃至（６）のいずれかに記載のパネル体を周壁の少なくとも一面に有することを特徴とするものである。
【発明の効果】
【００１４】
本発明に係るパネル体は、扉体の開放を防止するロック機構を有し、該ロック機構は、枠部における開口近傍に設けられて、基端側が枠部に固定され前方に延出する延出部と、該延出部の前端から上方に立ち上がる立上り部とを有するフック部と、該フック部の上方に設けられた横線材からなるロックバーと、扉体側に設けられて扉体を閉じた状態でフック部の立上り部の内側に挿入されて係止される係止バーと、扉体側に扉体閉止方向に突出して設けられ、扉体を閉止した状態でロックバーに係止して扉体の傾動を規制するロック辺部とを備えていることにより、構造が簡単であり、扉をロックする機構も含めて線材のみでも構成可能なロック機構を備えることができる。
【図面の簡単な説明】
【００１５】
【図１】本発明の一実施の形態に係るパネル体の斜視図である。
【図２】本発明の一実施の形態に係るパネル体の扉体の開放状態の説明図である。
【図３】本発明の一実施の形態に係るパネル体の枠部の斜視図である。
【図４】本発明の一実施の形態に係るパネル体の扉体の斜視図である。
【図５】本発明の一実施の形態に係るパネル体の扉体の傾動状態の説明図である。
【図６】図１における破線で囲んだＡ部の拡大図である。
【図７】図１における破線で囲んだＢ部の拡大図である。
【図８】本発明の一実施の形態に係るパネル体の閉止動作の説明図である（その１）。
【図９】本発明の一実施の形態に係るパネル体の閉止動作の説明図である（その２）。
【図１０】本発明の一実施の形態に係るパネル体の閉止動作の説明図である（その３）。
【図１１】本発明の一実施の形態に係るパネル体の閉止動作の説明図である（その４）。
【図１２】本発明の一実施の形態に係るパネル体の閉止動作の説明図である（その５）。
【図１３】本発明の一実施の形態に係るパネル体の閉止動作の説明図である（その６）。
【図１４】本発明の一実施の形態に係るパネル体の開放動作の説明図である（その１）。
【図１５】本発明の一実施の形態に係るパネル体の開放動作の説明図である（その２）。
【図１６】本発明の一実施の形態に係るペットケージの斜視図である。
【発明を実施するための形態】
【００１６】
本実施の形態に係るパネル体１は、図１に示すように、金属製の線材によって形成されて、開口５を有する枠部３と、一辺側を回動軸７として枠部３の開口５に開閉可能に取り付けられた扉体９と、扉体９の閉止状態で扉体９をロックして扉体９が開放するのを防止するロック機構１１を有しており、例えば図１６に示すように、ペットケージ４１の周壁として用いられる。
パネル体１の構造を以下詳細に説明する。
【００１７】
＜枠部＞
枠部３は、図３に示すように、全体形状が矩形状をしており、金属製の縦線材と横線材によって格子状に形成され、開口５を有している。
なお、開口５の図中左辺を形成している縦線材が扉体９の回動軸７となっている。
【００１８】
＜扉体＞
扉体９は矩形状をしており（図４参照）、その一辺側を回動軸７として、図１、図２に示すように、枠部３に開閉可能に取り付けられている。
回動辺側には、図４に示すように、扉体９から枠部３に向けて延出する上延出辺部１３、中延出辺部１５、下延出辺部１７が設けられており、上延出辺部１３、中延出辺部１５、下延出辺部１７のそれぞれの先端は屈曲されてそれぞれ第１穴１３ａ、第２穴１５ａ、第３穴１７ａが形成されている。これらの第１穴１３ａ、第２穴１５ａ、第３穴１７ａに回動軸７が挿入されることで、扉体９は回動可能になっている。
【００１９】
最も上部の第１穴１３ａは回動軸７が挿入されて回動可能な大きさになっており、第２穴１５ａ、第３穴１７ａと下の穴になるほど、図４に示すように、軸方向の穴径が大きい長孔になっている。このため、図５に示すように、扉体９は、枠部３に対して傾動可能になっている。具体的には、扉体９は、ロック機構１１が設けられた辺が高くなる方向、すなわち反時計回り方向に傾動する。
なお、第１穴１３ａ、第２穴１５ａ及び第３穴１７ａは、必ずしも長孔である必要はなく、第１穴１３ａから順に下部側の第２穴１５ａ、第３穴１７ａに行くに従って軸方向の穴径が大きくなっておればよい。
【００２０】
＜ロック機構＞
ロック機構１１は、扉体９を閉止した状態で扉体９をロックして扉体９が開放するのを防止するものであり、扉体９を閉止状態にする扉体閉止機能と、扉体９の閉止状態が容易に解除されないようにするロック機能の２つの機能を有している。
【００２１】
《扉体閉止機能》
扉体閉止機能は、枠部３に設けられたフック部１９と、扉体９に設けられた係止バー２１によって実現されている（図２〜図４参照）。
フック部１９は、図６に示すように、基端側が枠部３に固定され前方（パネル体１の前面方向）に延出する延出部１９ａと、延出部１９ａの前端から上方に立ち上がる立上り部１９ｂと、該立上り部１９ｂから前方に向かって斜め下方に傾斜する傾斜部１９ｃとを備えている。
係止バー２１は、扉体９に設けられ、扉外方向かつ水平方向に延びる線材からなり（図４参照）、扉体９を閉じる際にフック部１９の傾斜部１９ｃに当接して案内されると共に扉体９の閉止状態でフック部１９の立上り部１９ｂの内側に挿入されて係止される（図６参照）。
【００２２】
なお、本実施の形態のパネル体１は、図３、図７に示すように、枠部３におけるフック部１９の下方にフック部１９と同形状であり、第２延出部２３ａ、第２立上り部２３ｂ、第２傾斜部２３ｃを有する第２フック部２３を備えている。
また、扉体９には、係止バー２１の下方に設けられて第２フック部２３における第２立上り部２３ｂの内側に挿入して係止する第２係止バー２５を有している（図４、図６参照）。
このように、本実施の形態のパネル体１は、フック部１９と係止バー２１に加えて、第２フック部２３と第２係止バー２５を有していることにより、扉体９をより確実に閉止状態にすることができる。
【００２３】
《ロック機能》
ロック機能は、枠部３に設けられたロックバー２７と、扉体９に設けられたロック辺部２９によって実現されている。
ロックバー２７は、フック部１９の上方に設けられた横線材からなる。また、ロック辺部２９は、扉体閉止方向に突出して設けられ、扉体９を閉止した状態でロックバー２７に係止して扉体９の傾動を規制する。
【００２４】
なお、本実施の形態においては、図６に示すように、係止バー２１とロック辺部２９は、上部がロック辺部２９に連続し、かつ下部が係止バー２１に連続する屈曲辺部３１を有し、屈曲辺部３１はその上部が枠部側に近づく方向に屈曲している。屈曲辺部３１は、屈曲の下部側の辺が略鉛直状態にあるときに、上部側の辺が枠部３側に向かって傾斜する方向に屈曲している。そのため、扉体９の閉止動作の際に、屈曲辺部３１の上端部が扉体９の閉止直前にロックバー２７に当接し、屈曲辺部３１の上端部がロックバー２７に押圧される。このとき、屈曲辺部３１の下部側の辺は枠部３には当接することなくフリーな状態にあるので、扉体９の閉止動作の慣性力によって屈曲辺部３１が変形し、係止バー２１が枠部３側に近づきフック部１９の立上り部１９ｂの内側に挿入可能になる。
ロック辺部２９の上方には、手前側に延出する操作辺部３３が設けられている。
【００２５】
以上のように構成された本実施の形態のパネル体１における扉閉及び開放止動作について説明する。
【００２６】
＜閉止動作＞
扉体９を開放状態から閉止方向に押すと、扉体９は回動軸７回りに回動して、閉止動作を開始する。扉体９が枠部３に近づくと、扉体９に設けられた係止バー２１及び第２係止バー２５が、それぞれ傾斜部１９ｃ及び第２傾斜部２３ｃに当接して（図８参照）、これらに案内されて傾斜に沿って枠部３に近づく方向に移動する。扉体９の回動辺側には、第１穴１３ａ、第２穴１５ａ、第３穴１７ａが形成されており、第２穴１５ａ、第３穴１７ａと下の穴になるほど、穴の軸方向の長さが長い長孔になっていることから、扉体９は、図９（ａ）に示すように、ロック機構１１が設けられた辺が高くなる方向、すなわち反時計回り方向に傾動する。
【００２７】
そして、扉体９がさらに枠部３に近づくと、ロック辺部２９の先端がロックバー２７に当接する。
このとき、扉体９に閉止方向の動きにある程度勢いがあると、屈曲辺部３１の上端部がロックバー２７に衝突したときに、屈曲辺部３１が弾性変形して、図１０に示すように、屈曲辺部３１の下部にある係止バー２１が枠部３に近づく。この状態で、係止バー２１が傾斜部１９ｃを乗り越えることになり、扉体９は、自重によって、傾動が元に戻る方向に移動して、図１１及び図１２に示すように、係止バー２１がフック部１９の立上り部１９ｂの内側に挿入される。このとき、屈曲辺部３１の弾性変形が復元することで、ロック辺部２９が枠部３側に移動して、ロックバー２７の下方に入り込む。これによって、扉体９は閉止状態になり、かつロック辺部２９がロックバー２７の下方に入り込んでいるので、傾動することがなく、閉止状態がロックされる。
【００２８】
図１３は、扉体９の閉止動作における、屈曲辺部３１及びこれに連続するロック辺部２９と係止バー２１の動きを３段階に分けて連続的に示したものであり、最も薄いグレーの図から色が順次黒くなる図へと時系列になっている。
図１３にも示されるように、本実施の形態の扉体９は、扉体９をある程度の勢いをもって閉止するだけで、自動的に閉止状態となり、かつロック状態となる。
なお、扉体９の閉止動作は、人間が扉体９から手を離さずに回動させても同様の動作をすることは言うまでもない。
【００２９】
＜開放動作＞
扉体９を開放する際には、図１４及び図１５中の白抜き矢印に示すように、操作辺部３３を押し下げると共に手前に引くことで、ロック辺部２９とロックバー２７の係止を解除し、その状態で、操作辺部３３を持ち上げるようにすると、扉体９が傾動し（図５参照）、係止バー２１とフック部１９との係止を外すことができる。この状態で、扉体９を手前に引くことで、扉体９を回動させて扉体９を開くことができる。
【００３０】
以上のように、本実施の形態のパネル体１は、簡易な構造で、扉の閉止とロック状態を自動的に行うことができる。
なお、扉体９が自動的に閉止状態になるには、屈曲辺部３１の上端部がロックバー２７に当接したときに、屈曲辺部３１が弾性変形すると共に、扉体９がフック部１９の位置より押し戻される前に自重によって傾動が元にもどるような動作が必要とされる。これは、屈曲辺部３１の弾性力を調整することで実現可能である。弾性力の調整は、例えば、屈曲辺部３１の線材の線径を調整することで弾性を調整してもよいし、あるいは、材質を変えることで調整することでも可能である。
【００３１】
なお、上記の本実施の形態では、パネル体１を、図１６に示すペットケージ４１の周壁として利用する例を挙げており、図１６に示す例では、ペットケージ４１の正面と側面の２つの周壁に本実施の形態のパネル体１を用いている。
【００３２】
もっとも、本実施の形態のパネル体１は、ペットケージ４１の周壁以外にも、例えば、通行規制柵等に利用することができる。
【００３３】
なお、本実施の形態のパネル体１は、傾斜部１９ｃを備えており、扉体９を閉止方向に押すだけで、自動的に閉止するようにしているが、本発明に係るパネル体は、傾斜部１９ｃを有していないものも含んでいる。傾斜部１９ｃがない場合には、人間が操作辺部３３を持った状態で閉止方向に扉体９を回動し、フック部１９の立上り部１９ｂを乗り越えさせるようにすればよい。
【００３４】
また、本実施の形態でロック辺部２９と係止バー２１を屈曲辺部３１で連結しているのは、上述したように自動閉止ロックを実現するためであり、傾斜部１９ｃを設けないような場合には、ロック辺部２９と係止バー２１が連動して動作する必要は必ずしもないことから、屈曲辺部３１で両者が連結される必要もない。
【００３５】
さらに、上記の実施の形態では、扉体９をより確実に閉止状態にするために第２フック部２３と第２係止バー２５を設けた例を示しているが、これらは必須ではなく、フック部１９と係止バー２１のみであってもよい。この場合には、フック部１９の位置とロックバー２７の上下の間隔を離すようにするのが好ましい。
また、上記の実施の形態で示したように、本発明のパネル体１の構造であればパネル体１を全て線材によって形成可能であるが、本発明は必ずしも全てを線材のみで構成することを必須とするものではなく、線材以外の部材を利用することを排除するものではない。
【符号の説明】
【００３６】
１  パネル体
３  枠部
５  開口
７  回動軸
９  扉体
１１  ロック機構
１３  上延出辺部
１３ａ  第１穴
１５  中延出辺部
１５ａ  第２穴
１７  下延出辺部
１７ａ  第３穴
１９  フック部
１９ａ  延出部
１９ｂ  立上り部
１９ｃ  傾斜部
２１  係止バー
２３  第２フック部
２３ａ  第２延出部
２３ｂ  第２立上り部
２３ｃ  第２傾斜部
２５  第２係止バー
２７  ロックバー
２９  ロック辺部
３１  屈曲辺部
３３  操作辺部
４１  ペットケージ
【図１】
2015223084.tif 000003
【図２】
2015223084.tif 000004
【図３】
2015223084.tif 000005
【図４】
2015223084.tif 000006
【図５】
2015223084.tif 000007
【図６】
2015223084.tif 000008
【図７】
2015223084.tif 000009
【図８】
2015223084.tif 000010
【図９】
2015223084.tif 000011
【図１０】
2015223084.tif 000012
【図１１】
2015223084.tif 000013
【図１２】
2015223084.tif 000014
【図１４】
2015223084.tif 000015
【図１５】
2015223084.tif 000016
【図１３】
2015223084.tif 000017
【図１６】
2015223084.tif 000018